(57)【要約】【課題】モバイル通信端末のユーザの利便性を向上する。【解決手段】モバイル通信端末が、デジタル放送信号を受信している場合、適時に、その受信した信号中の簡易放送予定データと、記憶済みの過去の簡易放送予定データとを比較し、その比較の結果から、放送予定の変更の有無を検出する。そして、放送予定に変更ありと判断した場合には、デジタル放送信号を受信する経路とは異なる通信経路を介して詳細放送予定データを取得し、その詳細放送予定データを用いて、録画予約情報を更新する。【選択図】図３
2007184679.tif 000002
【特許請求の範囲】
【請求項１】
所定の時刻になった時に所定の番組を記録することを表す番組予約情報を記憶することができる予約情報記憶手段と、
現在放送中の番組のデータと該番組以降の放送予定を簡易的に表した簡易放送予定データとを含むデジタル放送信号を受信する放送信号受信手段と、
受信したデジタル放送信号中の簡易放送予定データを記憶する簡易データ記憶手段と、
前記放送信号受信手段とは別の通信手段と、
現在受信したデジタル放送信号中の簡易放送予定データと、前記簡易記憶手段に記憶されている過去の簡易放送予定データとの比較を行い、その比較の結果から、放送予定に変更が生じたか否かを判断する判断手段と、
前記判断手段により放送予定に変更が生じたと判断された場合に、前記現在放送中の番組以降の放送予定を前記簡易放送予定データよりも長い時間帯又は多くの放送局に関するデータを示す詳細放送予定データを前記別の通信手段を介して取得する取得手段と、
前記取得した詳細放送予定データを用いて前記番組予約情報を更新する更新手段と
を備えるモバイル通信端末。
【請求項２】
前記取得手段は、前記詳細放送予定データを取得することをユーザに問い、その問いに対して承認を前記ユーザから得られた場合に、前記詳細放送予定データを取得する、
請求項１記載のモバイル通信端末。
【請求項３】
前記取得手段は、前記判断手段により放送予定に変更が生じたと判断された場合、変更後の放送予定を基に、前記記憶されている番組予約情報を更新する必要があるか否かを判断し、その必要があると判断した場合に、前記詳細放送予定データを取得する、
請求項１記載のモバイル通信端末。
【請求項４】
前記取得手段は、前記番組予約情報を更新する必要があると判断した場合、前記簡易放送予定データを用いて前記番組予約情報を更新することが可能か否かの判断を行い、可能であると判断した場合、前記詳細放送予定データを取得せず、
前記更新手段が、前記簡易放送予定データを用いて前記番組予約情報を更新する、
請求項３記載のモバイル通信端末。
【請求項５】
前記判断手段は、現在受信したデジタル放送信号中の簡易放送予定データに空きを表すコードが含まれていた場合に、放送予定に変更が生じたと判断し、その後に受信したデジタル放送信号中の簡易放送予定データにおいて、空きを表すコードが無くなり、変更後の番組を表すコードになっていた場合に、変更後の放送予定が確定したと判断し、
前記取得手段が、該確定したと判断された変更後の放送予定を基に、番組予約情報の更新の必要性を判断する、
請求項３記載のモバイル通信端末。
【請求項６】
現在放送中の番組のデータと該番組以降の放送予定を簡易的に表した簡易放送予定データとを含むデジタル放送信号を受信する放送信号受信手段と、
所定の時刻になった時に所定の番組を記録することを表す番組予約情報を記憶することができる予約情報記憶手段と、
受信したデジタル放送信号中の簡易放送予定データを記憶する簡易データ記憶手段と、
前記放送信号受信手段とは別の通信手段と
を備えるモバイル通信端末に対して、
現在受信したデジタル放送信号中の簡易放送予定データと、前記簡易記憶手段に記憶されている過去の簡易放送予定データとの比較を行い、その比較の結果から、放送予定に変更が生じたか否かを判断するステップと、
前記判断手段により放送予定に変更が生じたと判断された場合に、前記現在放送中の番組以降の放送予定を前記簡易放送予定データよりも長い時間帯又は多くの放送局に関するデータを示す詳細放送予定データを前記別の通信手段を介して取得するステップと、
前記取得した詳細放送予定データを用いて前記番組予約情報を更新するステップと
を実行させることができるコンピュータプログラム。
【発明の詳細な説明】
【技術分野】
【０００１】
本発明は、モバイル通信端末に関し、例えば、１セグメント放送に対応のモバイル通信端末に関する。
【背景技術】
【０００２】
従来より、例えば、地上デジタルテレビ放送を受信する機能を備える据置型の受信装置（例えばテレビジョン装置或いはレコーダ）が知られている。地上デジタルテレビ放送の放送信号には、多くの情報（例えば、詳細な放送予定データ）を入れ込むことが可能である。上述したような受信装置は、地上デジタルテレビ放送の放送信号から取り込むことができる放送予定データを用いて、例えば、ユーザがテレビ番組を視聴する際の案内として提示したり、予約録画の設定を行ったりすることができる。
【０００３】
これに対して、１セグ地上デジタルテレビ放送（以下、１セグメント放送）、つまりワンセグサービスに対応したモバイル通信端末（例えば、携帯電話機）が知られている（例えば非特許文献１）。１セグメント放送の放送信号には、上述した地上デジタルテレビ放送の放送信号のように多くの情報を放送信号に入れ込むことは困難である。このため、１セグメント放送に対応したモバイル通信端末では、少ない情報（例えば、簡易的な放送予定データ）を取り込み、表示するに留まっている（例えば、特許文献１）。
【特許文献１】特開２００４−２２２０３１号公報
【非特許文献１】「放送技術  第５８巻  第7号」兼六出版  ２００５年                    ＜連載＞現場技術者のための地上デジタル放送技術                    （１０）デジタル放送用受信機pp.７７１
【発明の開示】
【発明が解決しようとする課題】
【０００４】
ところで、例えば、１セグメント放送に対応のモバイル通信端末では、放送信号からは、少量の情報しか取り込むことができない。この場合、予め決められた放送予定（換言すれば番組編成）通りに番組が放送されるのであればあまり問題は無いであろう。しかし、臨時ニュースなどにより、現在放送されている番組以降の放送予定に変更があった場合、もし、それよりも大分先の時刻を録画予約開始時刻として録画予約がモバイル通信端末に設定されていた場合、ユーザが、自分で録画予約を再設定しなければならない。また、ユーザが放送予定の変更に気づけばよいが、気づかないでいると、所望の番組を録画することができない場合も生じする。これでは、使い勝手が悪い。
【０００５】
したがって、本発明の目的は、モバイル通信端末のユーザの利便性を向上することにある。
【課題を解決するための手段】
【０００６】
本発明に従うモバイル通信端末は、予約情報記憶手段と、放送信号受信手段と、簡易データ記憶手段と、前記放送信号受信手段とは別の通信手段と、判断手段と、取得手段と、更新手段とを備える。予約情報記憶手段は、所定の時刻になった時に所定の番組を記録することを表す番組予約情報を記憶することができる。放送信号受信手段は、現在放送中の番組のデータと該番組以降の放送予定を簡易的に表した簡易放送予定データとを含むデジタル放送信号を受信する。簡易データ記憶手段は、受信したデジタル放送信号中の簡易放送予定データを記憶する。判断手段は、現在受信したデジタル放送信号中の簡易放送予定データと、前記簡易記憶手段に記憶されている過去の簡易放送予定データとの比較を行い、その比較の結果から、放送予定に変更が生じたか否かを判断する。取得手段は、前記判断手段により放送予定に変更が生じたと判断された場合に、前記現在放送中の番組以降の放送予定を前記簡易放送予定データよりも長い時間帯又は多くの放送局に関するデータを示す詳細放送予定データを前記別の通信手段を介して取得する。更新手段は、前記取得した詳細放送予定データを用いて前記番組予約情報を更新する。
【発明の効果】
【０００７】
本発明によれば、モバイル通信端末のユーザの利便性を向上することができる。
【発明を実施するための最良の形態】
【０００８】
以下、本発明の一実施形態に係るモバイル通信端末が適用されたワンセグサービス対応の携帯電話機について図面を用いて説明する。
【０００９】
図１は、本発明の一実施形態に係る携帯電話機の構成を示す図である。
【００１０】
携帯電話機１００は、制御部１０１と、放送受信用アンテナ１０３と、放送選局部１０４と、通信用アンテナ１０６と、通信部１０７と、映像復号部１０８と、表示部１０９と、音声復号部１１０と、音声出力部１１１と、記憶部１０５と、及び操作部１０２とを備えている。
【００１１】
携帯電話機１００は、放送受信用アンテナ１０３を介して放送信号を受信して、受信した１セグメント放送信号（以下、「１セグ信号」と略す）を放送選局部１０４において選局・復調し、デジタルデータとして制御部１０１に入力する。
【００１２】
通信部１０７は、通信用アンテナ１０６を介して無線通信を行うモデムである。
【００１３】
映像復号部１０８は、ユーザよって選局されたテレビ番組に含まれている映像圧縮データを、制御部１０１の制御により復号するビデオデコーダである。ここで復号された映像データは、制御部１０１の制御によって、表示部１０９に出力される。また、テレビ番組の字幕情報や、ユーザが携帯電話機１００を操作する際に必要な文字情報は、制御部１０１にて文字フォント（ビットマップ）に展開され、表示部１０７にて表示出力される。
【００１４】
音声復号部１１０は、ユーザよって選局されたテレビ番組に含まれている音声圧縮データを、制御部１０１の制御により復号するオーディオデコーダである。ここで復号された音声データは、制御部１０１の制御によって、音声出力部１１１にて音声出力される。
【００１５】
なお、ユーザが携帯電話機１００を用いて音声通話を行う場合（つまり、携帯電話機能を利用する場合）や、データ通信を行う場合は、無線通信部１０４を介して、音声信号やデータの送受信が行われる。
【００１６】
記憶部１０５は、制御部１０１によって実行されるコンピュータプログラムや、テレビ番組、テレビ番組の録画予約情報（何時からどのチャネルの番組を何時まで或いはどのぐらいの時間長だけ録画するかを表す情報）、簡易放送予定データ（Low-Event Information Tableを略して「L-EIT」と呼ばれることもある）などを記憶することができる。記憶部１０５は、例えば、内蔵型或いは外付け型の不揮発性メモリ（例えば、SDカード等）であってもよいし、小型のハードディスクなどのディスク型記録媒体であっても良い。
【００１７】
操作部１０２は、ユーザから種々の操作を受け付け、受け付けた操作を制御部１０１に伝達することができる。操作部１０２は、例えば、数字キー、カーソルキー、決定キーなどの複数のキーから構成することができる。
【００１８】
制御部１０１は、例えばＣＰＵ（Central Processing Unit）であり、携帯電話機１００の各構成要素の動作を制御する。制御部１０１は、例えば、受信中の１セグ信号から簡易放送予定データを取得し、取得した簡易放送予定データを記憶部１０５に記憶させることができる。また、制御部１０１は、例えばタイマから取得できる現在時刻が、録画予約情報で表される録画開始時刻になった場合には、その録画予約情報で指定されているチャネルの番組の録画を開始し、その録画予約情報で指定されている終了時刻或いは番組時間長になったなら、録画を終了する。録画した番組（例えばその番組の映像データや音声データ）は、記憶部１０５に記憶させることができる。
【００１９】
図２は、１セグ信号を受信中の携帯電話機によって行われる処理の流れの一例を示す図である。
【００２０】
制御部１０１は、受信している１セグ信号に含まれるパケットを解析する（ステップＳ３０１）。制御部１０１の解析によって、簡易放送予定データが検出された場合（Ｓ３０２：Ｙｅｓ）、制御部１０１は、簡易放送予定データの中に各番組（具体的には、現在選局されているチャネルの番組、その番組の次に放送される予定の番組、そのまた次に放送される予定の番組）に対する情報があるか否かを解析する（Ｓ３０３）。
【００２１】
ここで、簡易放送予定データは、例えば、現在ユーザに選局されているチャネルの番組であって現在放送中の番組と、その番組の次とその次の番組に関する情報とで構成された小サイズのデータである。一方、詳細放送予定データは、例えば、多くのチャネルであって２４時間分の放送予定を表した、簡易放送予定データよりも大サイズの情報である。
【００２２】
本実施例でいう簡易放送予定データには、各番組毎の基本情報として、例えば、図５〜図７に例示するように、番組識別番号や、番組開始時刻や、番組放送時間長（以下、番組時間）などが含まれる。なお、そのような情報が無い場合にはエラーとすることができる。以下、選局されているチャネルで放送中の番組を「現在番組」と言い、同チャネルで現在番組の次に放送される予定の番組を「後続番組」と言い、同チャネルで後続番組の次に放送される予定の番組を「更に先の番組」と言うことにする。
【００２３】
制御部１０１は、各番組の基本情報がある場合は、各番組の基本情報を取得し（Ｓ３０４）、Ｓ３０４で取得した現在番組の基本情報と、記憶部１０５に記憶されているその現在番組の過去の基本情報とを比較し、相違点が無いか否かを判別することにより、現在番組に変更があるか否かを判別する（Ｓ３０５）。相違点が無い場合には、現在番組に変更無しと判断することができる。具体的には、例えば、制御部１０１は、図４に例示するように、番組識別番号に変更はないか（Ｓ５０１）、番組開始時刻に変更は無いか（Ｓ５０２）、番組時間に変更はないか（Ｓ５０３）のうちの少なくとも一つの判断を行う。一つでも変更有りとなった場合に、Ｓ３０５でＮｏとなり、全てにおいて変更無しとなった場合に、Ｓ３０５でＹｅｓとなる。これは、後述のＳ３０６及びＳ３０７でも同様とすることができる。
【００２４】
制御部１０１は、現在番組に変更無しと判断した場合（Ｓ３０５：Ｙｅｓ）、Ｓ３０４で取得した後続番組の基本情報と、記憶部１０５に記憶されているその後続番組の過去の基本情報とを比較し、相違点が無いか否かを判別することにより、後続番組に変更があるか否かを判別する（Ｓ３０６）。
【００２５】
制御部１０１は、後続番組にも変更無しと判断した場合（Ｓ３０６：Ｙｅｓ）、Ｓ３０４で取得した更に先の番組の基本情報と、記憶部１０５に記憶されているその更に先の番組の過去の基本情報とを比較し、相違点があるか否かを判別することにより、更に先の番組に変更があるか否かを判別する（Ｓ３０７）。
【００２６】
制御部１０１は、更に先の番組にも変更無しと判断した場合（Ｓ３０７：Ｙｅｓ）、放送予定に変更無しと判断する（Ｓ３０９）。この後、再びＳ３０１に戻ることができる。
【００２７】
制御部１０１は、Ｓ３０５、Ｓ３０６及びＳ３０７のいずれか一つでも、番組に変更有りと判断した場合（Ｓ３０５，Ｓ３０６又はＳ３０７：Ｎｏ）に、図３に例示するような録画予約情報の更新処理を実行する。
【００２８】
なお、制御部１０１は、記憶部１０５に録画予約情報が記憶されていなければ、録画予約情報の更新処理を行わない（例えばそれを行うことなくＳ３０１に戻る）ことができる。
【００２９】
また、制御部１０１は、番組に変更有り（つまり放送予定に変更有り）と判断しても、変更後の放送予定が確定したことが検出できない場合には、録画予約情報の更新処理を行わない（例えばそれを行うことなくＳ３０１に戻る）ことができる。
【００３０】
また、制御部１０１は、記憶部１０５に録画予約情報が記憶されており、簡易放送予定データを基に、その録画予約情報を更新する必要があるか否かを判断することができる。例えば、制御部１０１は、番組に変更有り（つまり放送予定に変更有り）と判断されたチャネルと録画予約対象のチャネルとが同じ場合に、録画予約情報を更新する必要があると判断し、そうではない場合に、その必要がないと判断することができる。録画予約情報を更新する必要があると判断した場合に、制御部１０１は、録画予約情報の更新処理を行うようにすることができる。
【００３１】
また、制御部１０１は、Ｓ３０２で検出された簡易放送予定データを、所定のタイミング、例えばＳ３０８又はＳ３０９で、記憶部１０５に記憶させることができる。
【００３２】
図３は、録画予約情報の更新処理の流れの一例を示す。
【００３３】
制御部１０１は、Ｓ３０２で検出された簡易放送予定データを用いて、録画予約情報を更新することが可能か否かを判断する（Ｓ３２０）。例えば、簡易放送予定データに変更後の後続番組の放送予定（例えば当初の予定では１３：００放送開始だったが１３：１０分にずれたことを意味する情報）が書かれており、録画予約情報が、該後続番組を１３：００から録画開始することを意味する情報の場合には、制御部１０１は、簡易放送予定データを用いて録画予約情報を更新可能であると判断する（Ｓ３２０：Ｙｅｓ）。この場合、制御部１０１は、録画予約情報が表す録画開始時刻を１３：００から１３：１０に変更することで、録画予約情報を更新することができる（Ｓ３１１）。
【００３４】
制御部１０１は、Ｓ３２０で不可能と判断した場合（Ｓ３２０：Ｎｏ）、詳細放送予定データの取得を取得するか否かをユーザに問う（Ｓ３１２）。具体的には、例えば、詳細放送予定データの取得を取得するか否かのメッセージと、取得するか否かを選択するためのＧＵＩを表示することができる。制御部１０１は、ユーザから取得しないとの回答を受けた場合（Ｓ３１３：Ｎｏ）、終了（例えばＳ３０１）に戻ることができる。
【００３５】
制御部１０１は、取得しするとの回答を受けた場合（Ｓ３１３：Ｙｅｓ）、通信部１０７を介して詳細放送予定データを取得し（Ｓ３１４）、その詳細放送予定データを用いて録画予約情報を更新する（Ｓ３１５）。Ｓ３１４では、例えば、記憶部１０５に、詳細放送予定データがあるＵＲＬが登録されており、制御部１０１は、そのＵＲＬから詳細放送予定データを取得することができる。
【００３６】
以上が、録画予約情報の更新処理である。なお、詳細放送予定データを取得するか否かをユーザに問い合わせているが、それに代えて、制御部１０１は、ユーザに問い合わせることなく自動的に詳細放送予定データを取得し録画予約情報を更新することができる。
【００３７】
以下、現在の簡易放送予定データと過去の簡易放送予定データとの比較により放送予定に変更があると判断される場合の幾つかのバリエーションを示す。
【００３８】
図５は、放送予定に変更ありと判断される第一のバリエーションである。
【００３９】
図５（ａ)に示すように、１４:４０時点の簡易放送予定データにおいて、現在番組が１４:００開始で、５４分間の番組だったものが、図４（ｂ）で示すように、１４:５０の簡易放送予定データにおいて、終了予定時間前に急遽終了し、後続番組が前倒しで放送されたことにより、後続番組が現在番組となる。この場合、現在番組に変更有りとの判断がされる。
【００４０】
更に、図５（ｂ）に示すように、更に先の番組の代わりに、緊急番組（識別番号０９０１）が１５：００から割り込み予定となり、終了時間は未定（番組時間の情報は空）となった場合、更に先の番組に変更ありとの判断がされる。なお、空の情報がある場合、その空の情報を有する番組については、変更後の放送予定が確定していないと制御部１０１によって判断される。その後、図５（ｃ）に示すように、１４:５８時点で、後続番組、更に先の番組について、情報が埋まった場合に、変更後の放送予定が確定したと制御部１０１によって判断される。
【００４１】
図６は、放送予定に変更ありと判断される第二のバリエーションである。
【００４２】
１４:４０時点では、６分番組の後続番組が１４：５４から始まる予定だったが、１４：５４になったと同時に、予定変更となり、１時間６分番組の緊急番組（識別番号０９０１）に替わったとする（図６（ａ）及び図６（ｂ）。この場合、現在番組に変更ありとの判断がされる。
【００４３】
また、図６（ｂ）の時点で、後続番組以降の予定が未定状態（後続番組及び更に先の番組の基本情報が全て空）となっている場合、制御部１０１は、変更後の放送予定が確定していないと判断することができる。図６（ｃ）に示すように、１５:２０時点で、後続番組、更に先の番組について、予定の変更内容が確定となり、２つ目の緊急番組（識別番号０９０２）も割り込むことが判明する。更にここで、番組（識別番号００５１）は、緊急番組の後に、予定より遅れて放送されることが判明する。図６（ｃ）の簡易放送予定データを検出した場合、制御部１０１は、変更後の放送予定が確定したと判断することができる。
【００４４】
図７は、放送予定に変更ありと判断される第三のバリエーションである。
【００４５】
図７（ａ）に示すように、１４:４０時点では、更に先の番組は、１５:００開始の１時間番組であったのに対して、図７（ｂ）に示すように、１４:５０分時点で、別の２時間番組になることが判明する。この場合、更に先の番組で変更ありと判断することができる。図７（ｃ）に示すように、１４：５５時点において、番組（識別番号００５２）は、放送中止になったのではなく、放送開始予定が後ろにずれ込んだことが判明する。この場合、例えば、識別番号００５２の番組を録画することを表す録画予約情報が記憶されていたならば、図７（ｃ）の簡易放送予定データを検出した場合に、制御部１０１が、その簡易放送予定データを用いて録画予約情報を更新することができる。
【００４６】
図８は、ワンセグサービス対応の携帯電話機を所持したユーザが、番組を視聴しながら移動し、ある地点に着いたときに、放送予定の変更が検出され、それをきっかけに、通信部から携帯電話機のデータ通信網を介して詳細放送予定データを取得することになる様子の一例を示した図である。
【００４７】
テレビ放送の系列地方局Ａのアンテナ１２１、系列地方局Ａに対する受信地域１２０、携帯電話基地局１２３、基地局情報受信地域１２２、携帯電話機１２４、場所移動後の携帯電話機１２６、テレビ放送の系列地方局Ｂに対する受信地域１２５、テレビ放送の系列地方局Ｂのアンテナ１２７、また、各携帯電話基地局に対する、基地局情報受信地域として、Ｒ１〜Ｒ８がある。
【００４８】
最初に詳細放送予定データを受信した時にＲ４領域内に所在した、携帯電話機１２４は、その後、携帯電話機を持ったユーザの移動と共に、所在場所が変わり、緊急番組の割り込みなどで、放送予定に変更が発生した時点では、Ｒ６領域内に所在する。テレビ放送の系列地方局Ｂからの放送信号の受信により、簡易放送予定データに変化があったことが認識されたときに、携帯電話基地局とのデータ通信により、詳細放送予定データの受信をする。
【００４９】
この図８に示したとおりに、放送信号に含まれてくる簡易放送予定データの変化をきっかけに、携帯電話のデータ通信経路から詳細放送予定データの取得が行われる。
【００５０】
以上、上述した実施形態によれば、携帯電話機が、デジタル放送信号を受信している場合、適時に、その受信した信号中の簡易放送予定データと、記憶済みの過去の簡易放送予定データとを比較し、その比較の結果から、放送予定の変更の有無を検出することができる。そして、携帯電話機は、放送予定に変更ありと判断した場合には、デジタル放送信号を受信する経路とは異なる通信経路を介して詳細放送予定データを取得し、その詳細放送予定データを用いて、録画予約情報を更新することができる。これにより、放送予定に変更があったことが自動的に検出されるので、録画予約情報を更新する必要が生じた場合にはユーザがそれを知らないままになってしまうことを防ぐことができる。また、放送予定に変更があった場合、ユーザは手動で録画予約を再設定する必要が無く、携帯電話機からの問い合わせに対して承認しさえすれば、自動的に、詳細放送予定データが取得され、その詳細放送予定データを用いて録画予約情報が更新される。以上のことから、簡易的な放送予定データを含んだデジタル放送信号で現在放送中の番組以降の放送予定に変更が生じた場合の、ワンセグサービス対応の携帯電話機のユーザの利便性が向上する。
【００５１】
以上、本発明の一実施形態を説明したが、これは本発明の説明のための例示であって、本発明の範囲をこの実施形態にのみ限定する趣旨ではない。本発明は、他の種々の形態でも実施することが可能である。例えば、デジタル放送信号は、テレビジョン放送信号に限らず他種の放送信号、例えばラジオ放送信号であってもよい。また、本発明は、ワンセグサービスに対応の携帯電話機以外のモバイル通信端末にも適用することができる。
【図面の簡単な説明】
【００５２】
【図１】本発明の一実施形態に係る携帯電話機の構成を示す図である。
【図２】１セグ信号を受信中の携帯電話機によって行われる処理の流れの一例を示す図である。
【図３】録画予約情報の更新処理の流れの一例を示す。
【図４】現在番組に変更ありか否かの判断の流れの一例を示す。
【図５】図５は、放送予定に変更ありと判断される第一のバリエーションである。
【図６】図６は、放送予定に変更ありと判断される第二のバリエーションである。
【図７】図７は、放送予定に変更ありと判断される第三のバリエーションである。
【図８】ワンセグサービス対応の携帯電話機を所持したユーザが、番組を視聴しながら移動し、ある地点に着いたときに、放送予定の変更が検出され、それをきっかけに、通信部から携帯電話機のデータ通信網を介して詳細放送予定データを取得することになる様子の一例を示した図である。
【符号の説明】
【００５３】
１００…携帯電話機  １０１…制御部  １０２…操作部  １０４…放送選局部  １０５…記憶部  １０７…通信部
【図１】
2007184679.tif 000003
【図２】
2007184679.tif 000004
【図３】
2007184679.tif 000005
【図４】
2007184679.tif 000006
【図５】
2007184679.tif 000007
【図６】
2007184679.tif 000008
【図７】
2007184679.tif 000009
【図８】
2007184679.tif 000010